(57)【要約】【課題】光伝送システムを成す複数の光伝送装置に対して個別的に測定機器等を設けずに、光伝送システムの光伝送特性を測定可能にする。【解決手段】第１の光伝送装置＃０から測定光をダウンストリームの光伝送路４Ａへ送信し、第２の光伝送装置＃１（又は＃２〜＃ｎのいずれか）で当該測定光をアップストリームの光伝送路４Ｂへ折り返して送信し、折り返された測定光を第１の光伝送装置＃０にて受信して第２の光伝送装置＃１（又は＃２〜＃ｎのいずれか）との間の光伝送特性を測定する。【選択図】図２
2016012826.tif 000002
【特許請求の範囲】
【請求項１】
測定光をダウンストリームの光伝送路へ送信する第１の光伝送装置と、
前記ダウンストリームの光伝送路を通じて受信した前記測定光をアップストリームの光伝送路へ折り返して送信する第２の光伝送装置と、を備え、
前記第１の光伝送装置は、
前記第２の光伝送装置でアップストリームに折り返された前記測定光を受信して前記第２の光伝送装置との間の光伝送特性を測定する、光伝送システム。
【請求項２】
前記第１の光伝送装置は、前記測定光の波長を前記光伝送特性の測定対象である波長帯域において可変する、請求項１に記載の光伝送システム。
【請求項３】
前記ダウンストリームの光伝送路と前記アップストリームの光伝送路とを介して前記第１の光伝送装置と光通信可能に接続された複数の光伝送装置を備え、
前記第１の光伝送装置と光通信可能に接続された前記複数の光伝送装置の中で、前記測定光の折り返しを行なう前記第２の光伝送装置を変更しながら、前記測定を行なう、請求項１又は２に記載の光伝送システム。
【請求項４】
前記第１の光伝送装置は、前記光伝送システムの初期立ち上げ時において、前記波長帯域全体に亘って前記測定光の波長を可変する、請求項２に記載の光伝送システム。
【請求項５】
前記第１の光伝送装置は、前記光伝送システムの運用中において、前記波長帯域の空き波長に前記測定光の波長を制御する、請求項２又は４に記載の光伝送システム。
【請求項６】
前記測定される前記光伝送特性は、光信号対雑音比、偏波依存性損失、偏波モード分散、及び、波長分散のいずれかである、請求項１〜５のいずれか１項に記載の光伝送システム。
【請求項７】
ダウンストリームの光伝送路から測定光を受信する光受信部と、
前記光受信部で受信した前記測定光をアップストリームの光伝送路へ折り返して送信する光送信部と、
を備えた、光伝送装置。
【請求項８】
前記光受信部は、
前記ダウンストリームの光伝送路を伝送される光が入力されて当該光を複数の出力ポートのいずれかに分岐出力又は選択出力する光デバイスを備え、
前記光送信部は、
複数の入力ポートに入力された光を波長単位に選択して前記アップストリームの光伝送路へ送信する波長選択スイッチと、を備え、
前記光デバイスの前記出力ポートのいずれかが、前記波長選択スイッチの前記入力ポートのいずれかに接続され、
前記波長選択スイッチは、前記接続を通じて入力される光のうち測定光の波長を選択して前記測定光を前記アップストリームの光伝送路へ送信する、請求項７に記載の光伝送装置。
【請求項９】
ダウストリームの光伝送路へ測定光を送信する光送信部と、
他の光伝送装置にてアップストリームに折り返された前記測定光を受信して前記他の光伝送装置との間の光伝送特性を測定する光受信部と、
を備えた光伝送装置。
【請求項１０】
前記光送信部は、
複数の入力ポートに入力された光を波長単位に選択して前記ダウンストリームの光伝送路へ送信する波長選択スイッチと、
前記波長選択スイッチの前記入力ポートのいずれかに接続されて、前記波長選択スイッチで選択される波長の測定光を前記波長選択スイッチに入力する測定光送信部と、を備え、
前記光受信部は、
前記アップストリームの光伝送路を伝送される光が入力されて当該光を複数の出力ポートに分岐出力又は選択出力する光デバイスと、
前記光デバイスの前記出力ポートのいずれに接続され、前記他の光伝送装置にて折り返された前記測定光を受信して前記光伝送特性の測定を行なう測定光受信部と、を備えた、光伝送装置。
【発明の詳細な説明】
【技術分野】
【０００１】
本発明は、光伝送システム及び光伝送装置に関する。
【背景技術】
【０００２】
光伝送技術分野において、光ネットワークの特性として例えばＯＳＮＲやＰＤＬ等を測定する技術が検討されている（例えば、下記の特許文献１〜３参照）。なお、ＯＳＮＲは、光信号対雑音比（Optical Signal to Noise Ratio）の略称であり、ＰＤＬは、偏波依存性損失（Polarization Depending Loss）の略称である。
【先行技術文献】
【特許文献】
【０００３】
【特許文献１】特開２０１１−０８２９８８号公報
【特許文献２】特開２０１２−１７７５８０号公報
【特許文献３】特開２００４−１１２４２７号公報
【発明の概要】
【発明が解決しようとする課題】
【０００４】
しかしながら、従来技術では、光送信側と光受信側とに個別的に測定機器を設けて測定を行なうことが検討されるに留まる。
【０００５】
１つの側面では、本発明の目的の１つは、光伝送システムを成す複数の光伝送装置に対して個別的に測定機器等を設けずに、光伝送システムの光伝送特性を測定可能にすることにある。
【課題を解決するための手段】
【０００６】
１つの側面において、光伝送システムは、測定光をダウンストリームの光伝送路へ送信する第１の光伝送装置と、前記ダウンストリームの光伝送路を通じて受信した前記測定光をアップストリームの光伝送路へ折り返して送信する第２の光伝送装置と、を備え、前記第１の光伝送装置は、前記第２の光伝送装置でアップストリームに折り返された前記測定光を受信して前記第２の光伝送装置との間の光伝送特性を測定する。
【０００７】
また、１つの側面において、光伝送装置は、ダウンストリームの光伝送路から測定光を受信する光受信部と、前記光受信部で受信した前記測定光をアップストリームの光伝送路へ折り返して送信する光送信部と、を備える。
【０００８】
更に、１つの側面において、光伝送装置は、ダウストリームの光伝送路へ測定光を送信する光送信部と、他の光伝送装置にてアップストリームに折り返された前記測定光を受信して前記他の光伝送装置との間の光伝送特性を測定する光受信部と、を備える。
【発明の効果】
【０００９】
１つの側面として、光伝送システムを成す複数の光伝送装置に対して個別的に測定機器等を設けずに、光伝送システムの光伝送特性を測定することが可能になる。
【図面の簡単な説明】
【００１０】
【図１】一実施形態に係る光伝送システムの構成例を示すブロック図である。
【図２】図１に例示した光伝送システムの、ノードの構成例に着目したブロック図である。
【図３】図１に例示した光伝送システムの、ノードの構成例に着目したブロック図である。
【図４】図１〜図３に例示した光伝送システムにおけるネットワークパラメータの測定方法の一例を説明するフローチャートである。
【図５】図２及び図３に例示した測定光送信部の構成例（ＯＳＮＲ測定のケース）を示すブロック図である。
【図６】図２及び図３に例示した測定光受信部の構成例（ＯＳＮＲ測定のケース）を示すブロック図である。
【図７】図２及び図３に例示した測定光送信部の構成例（ＰＤＬ測定のケース）を示すブロック図である。
【図８】図２及び図３に例示した測定光受信部の構成例（ＰＤＬ測定のケース）を示すブロック図である。
【図９】図２及び図３に例示した測定光送信部の構成例（ＰＭＤ測定のケース）を示すブロック図である。
【図１０】図２及び図３に例示した測定光受信部の構成例（ＰＭＤ測定のケース）を示すブロック図である。
【図１１】図２及び図３に例示した測定光送信部の構成例（ＣＤ測定のケース）を示すブロック図である。
【図１２】図２及び図３に例示した測定光受信部の構成例（ＣＤ測定のケース）を示すブロック図である。
【図１３】図１〜図３に例示した光伝送システムにおけるネットワークパラメータの測定方法を説明するための図である。
【図１４】図１〜図３に例示した光伝送システムにおけるネットワークパラメータの測定方法を説明するための図である。
【図１５】図１〜３に例示した光伝送システムにおけるネットワークパラメータの測定方法を説明するための図である。
【図１６】図１〜図３に例示した光伝送システムにおけるＯＳＮＲの測定方法を一般化して説明するための図である。
【図１７】図１〜図３に例示した光伝送システムにおけるＯＳＮＲの測定方法を一般化して説明するためのフローチャートである。
【図１８】図１〜図３に例示した光伝送システムにおいてノード＃１からノード＃４に至る経路のノード＃４での受信特性の求め方を説明するための図である。
【図１９】図１〜図３に例示した光伝送システムにおけるＰＤＬの測定方法を一般化して説明するための図である。
【図２０】図１〜図３に例示した光伝送システムにおけるＰＤＬの測定方法を一般化して説明するためのフローチャートである。
【図２１】図１〜図３に例示した光伝送システムにおけるＰＭＤの測定方法を一般化して説明するための図である。
【図２２】図１〜図３に例示した光伝送システムにおけるＰＭＤの測定方法を一般化して説明するためのフローチャートである。
【図２３】図１〜図３に例示した光伝送システムにおけるＣＤの測定方法を一般化して説明するための図である。
【図２４】図１〜図３に例示した光伝送システムにおけるＣＤの測定方法を一般化して説明するためのフローチャートである。
【図２５】図１〜図３に例示した光伝送システムの初期立ち上げ時の測定光の波長スイープ制御を説明するための図である。
【図２６】図１〜図３に例示した光伝送システムの初期立ち上げ時の測定光の波長スイープ制御を説明するための図である。
【図２７】図２５に例示した波長選択スイッチ（ＷＳＳ）がＬＣＯＳタイプのＷＳＳである場合の波長スイープ制御を説明するための図である。
【図２８】図１〜図３に例示した光伝送システムの運用中における測定光の波長割り当てを説明するための図である。
【図２９】図１〜図３に例示した光伝送システムの運用中における測定光の波長割り当てを説明するための図である。
【図３０】図２８に例示した波長選択スイッチ（ＷＳＳ）がＬＣＯＳタイプのＷＳＳである場合の、測定光の波長割り当てを説明するための図である。
【発明を実施するための形態】
【００１１】
以下、図面を参照して本発明の実施の形態を説明する。ただし、以下に説明する実施形態は、あくまでも例示であり、以下に明示しない種々の変形や技術の適用を排除する意図はない。なお、以下の実施形態で用いる図面において、同一符号を付した部分は、特に断らない限り、同一若しくは同様の部分を表す。
【００１２】
図１は、一実施形態に係る光伝送システムの構成例を示すブロック図である。図１に示す光伝送システム（「光ネットワーク」と称してもよい。）１は、例示的に、複数の光伝送装置＃０〜＃ｎ（ｎは１以上の整数であり、図１の例ではｎ＝６である。）を備える。光伝送装置＃ｉ（ｉ＝０〜ｎのいずれか）は、ノード＃ｉと表記してもよい。
【００１３】
ノード＃ｉ間は、例示的に、光伝送路によって光通信可能に接続されてよい。図１に例示する光ネットワーク１は、ノード＃１がメッシュ状に接続された光メッシュネットワークの一例である。ただし、光ネットワーク１は、リングネットワーク等の他の形態のネットワークであってもよい。
【００１４】
ノード＃ｉ間を接続する光伝送路には、光ファイバを用いてよい。ノード＃ｉ間の光通信は、双方向の光通信であってよい。双方向の光通信では、光伝送路は、双方向のそれぞれに対応する光ファイバのペアを含んでよい。光伝送路を伝送される光は、１波長の光でもよいし、複数の波長の光が波長多重された波長多重光（ＷＤＭ光）であってもよい。
【００１５】
ノード＃ｉのそれぞれは、図１に例示するように、ＮＭＳ（Network Management System）２と通信可能に接続されてよい。ＮＭＳ２は、例示的に、ノード＃ｉと保守、運用、管理（ＯＡＭ：Operation Administration and Maintenance）に関わる通信を行なってよい。当該通信は、ＯＡＭ通信と称してよい。
【００１６】
ＯＡＭ通信によって光ネットワーク１の設定や動作を制御することが可能である。例えば、ＮＭＳ３は、ＯＡＭ通信を用いて光ネットワーク１のパラメータの測定をノード＃ｉのいずれかに指示することができる。
【００１７】
測定するパラメータの一例としては、ＯＳＮＲ（Optical Signal to Noise Ratio）や、ＰＤＬ（Polarization Dependent Loss）、ＰＭＤ（Polarization Mode Dispersion）、波長分散（ＣＤ：Chromatic Dispersion）等が挙げられる。光ネットワーク１のパラメータは、「ネットワークパラメータ」と称してもよい。「ネットワークパラメータ」は、光ネットワーク１における光伝送特性の指標であると捉えてよく、「ネットワーク特性」と称してもよい。
【００１８】
ネットワークパラメータを測定（実測）することで、光ネットワーク１の設計段階で想定（計算あるいはシミュレーション）されたパラメータとの差分を把握することが可能となり、その結果、光ネットワーク１に対して適切な対処を実施することが可能になる。
【００１９】
光ネットワーク設計では、例示的に、光ネットワーク１を成す、光伝送路及び光伝送装置＃ｉに関するそれぞれの情報を用いて伝送性能が計算される。光伝送路に関する情報（「伝送路情報」と称してよい。）には、光ファイバの種類、損失、分散、ＰＭＤ等の情報が含まれてよい。光伝送装置＃ｉに関する情報（「伝送装置情報」あるいは「ノード情報」と称してよい。）には、当該光伝送装置＃ｉに用いられる、光送受信機（トランスポンダ）の仕様や、光増幅器の仕様等の情報が含まれてよい。
【００２０】
伝送路情報及びノード情報を用いて計算される伝送性能の一例としては、雑音（別言すると、ＯＳＮＲ）、伝送ペナルティ（波長分散、ＰＭＤ、非線形効果等）が挙げられる。計算された伝送性能に基づいて、光ネットワーク１に用いる、ノード＃ｉ及び光伝送路の選択や配置等が決定される。
【００２１】
光ネットワーク１の設計段階では、光伝送路のバラツキや光伝送装置＃ｉのバラツキが考慮される。光伝送路のバラツキの一例としては、光ファイバの波長分散特性のバラツキや、光ファイバにおける非線形効果のバラツキ等が挙げられる。
【００２２】
光伝送装置＃ｉのバラツキの一例としては、光送受信機性能の製造バラツキや、光源の周波数ずれ、光合分波の中心波長のずれ、分散補償ファイバの波長分散特性のバラツキ等が挙げられる。光伝送装置＃ｉのバラツキの他の一例としては、光合分波器や波長選択スイッチ（ＷＳＳ）の波長分散特性のバラツキ、光増幅器の特性バラツキ等が挙げられる。
【００２３】
以上のような光伝送路のバラツキや光伝送装置＃ｉのバラツキを考慮するため、設計段階においてネットワークパラメータにはマージンが設けられる。しかし、実際に光ネットワーク１を敷設してみると、マージンが余計に確保されていたり、逆に、マージンが不足していたりすることがある。
【００２４】
そのため、光ネットワーク１の実際のネットワークパラメータを測定（実測）可能なことは重要である。伝送経路（「パス」と称してもよい。）や波長、波長間隔等をフレキシブルに変更可能な自由度の高い光ネットワーク１では、その重要性はより高くなる。
【００２５】
例えば、既存の光伝送システムでは、運用中にパスを切り替えることが可能であるが、あくまでも設計した範囲内のパス切り替えであり自由度が高いとはいえない。これに対して、近年、伝送容量の拡大を図るために波長間隔（「波長グリッド」と称してもよい。）を自由に変更したり、波長のデフラグメンテーションにより周波数利用効率を向上させる等、自由度の非常に高い光ネットワークの導入が検討されている。
【００２６】
このような自由度の高い光ネットワークでは、自由度が高い反面、設計対象となるネットワークパラメータの数が膨大になるため、それらを予め設計することは困難となる。そのため、光ネットワーク１のネットワークパラメータを事後的に実測可能であることは、自由度の高い光ネットワークを導入するにあたって重要である。
【００２７】
ネットワークパラメータの測定は、例えば、保守者等がノード＃ｉそれぞれの設置場所に出向いて光測定器をノード＃ｉに接続したり、ノード＃ｉのそれぞれに、光測定器や光パフォーマンスモニタ（ＯＰＭ）を設置しておくことで実施可能である。しかし、いずれにしてもコスト的、時間的に望ましい測定方法とはいえない。
【００２８】
また、光ネットワーク１が波長多重光（ＷＤＭ光）を伝送するＷＤＭ光ネットワークである場合、複数の波長の光を測定するには、光測定器を例えば波長多重器（ＭＵＸ）や波長分離器（ＤＭＵＸ）の個々のポートにつなぎ変えながら測定を行なわざるを得ない。
【００２９】
そこで、本実施形態では、全てのノード＃ｉに測定機能を備えなくても、１つのノード＃ｉに測定機能を配置するだけで、光ネットワーク１の任意の伝送区間の任意の波長についてのネットワークパラメータを測定できるようにする。
【００３０】
図２は、図１に例示した光伝送システム１の、ノード＃０〜＃ｎの構成例に着目したブロック図である。図２に示すノード＃ｉのそれぞれは、例示的に、ＲＯＡＤＭ（Reconfigurable Optical Add/Drop Multiplexer）であってよい。
【００３１】
図２に例示するように、ノード＃ｉのそれぞれは、他のノード＃ｊ（ｊは、ｊ＝０〜ｎのいずれかであり、ｊ≠ｉである。）と双方向の光伝送路４Ａ及び４Ｂを介して双方向通信可能に接続される。
【００３２】
双方向の一方の方向（例えば、ノード＃０からノード＃ｎへの方向）は、「下り」あるいは「ダウンストリーム」と称してよく、その逆の方向は、「上り」あるいは「アップストリーム」と称してよい。光伝送路４Ａ及び４Ｂを区別しなくてよい場合は、光伝送路４と表記することがある。
【００３３】
ノード＃ｉのそれぞれは、ダウンストリームに着目すると、例示的に、光増幅器３１Ａ、光スプリッタ（ＳＰＬ）３２Ａ、波長選択スイッチ（ＷＳＳ）３３Ａ、及び、光増幅器３４Ａを備える。
【００３４】
また、アップストリームに着目すると、ノード＃ｉのそれぞれは、光増幅器（プリアンプ）３１Ｂ、光スプリッタ３２Ｂ、波長選択スイッチ（ＷＳＳ）３３Ｂ、及び、光増幅器（ポストアンプ）３４Ｂを備える。
【００３５】
光増幅器３１Ａ及び３１Ｂは、それぞれ、「プリアンプ」あるいは「受信アンプ」と称してもよい。光増幅器３４Ａ及び３４Ｂは、それぞれ、「ポストアンプ」あるいは「送信アンプ」と称してもよい。
【００３６】
これらの光増幅器３１Ａ，３１Ｂ，３４Ａ及び３４Ｂは、光伝送路４Ａ又は４Ｂを伝送される信号光が受ける伝送損失等を事後的あるいは事前に補償するよう受信信号光又は送信信号光を増幅する。信号光が受ける伝送損失等によっては、光増幅器３１Ａ，３１Ｂ，３４Ａ及び３４Ｂのいずれかは、不要にしてよい場合もある。
【００３７】
なお、光増幅器３１Ａ及び３１Ｂを区別しなくてよい場合は、光増幅器（プリアンプ又は受信アンプ）３１と表記することがある。また、ＳＰＬ３２Ａ及び３２Ｂを区別しなくてよい場合は、ＳＰＬ３２と表記することがある。同様に、ＷＳＳ３３Ａ及び３３Ｂを区別しなくてよい場合は、ＷＳＳ３３と表記することがある。光増幅器３４Ａ及び３４Ｂを区別しなくてよい場合は、光増幅器（ポストアンプ又は送信アンプ）３４と表記することがある。
【００３８】
プリアンプ３１は、光伝送路４から受信した光を増幅してＳＰＬ３２に入力する。
【００３９】
ＳＰＬ３２は、例示的に、１つの入力ポートと複数の出力ポートとを有し、入力ポートにプリアンプ３１で増幅された光が入力され、当該入力光を複数の出力ポートに分岐する。ＳＰＬ３２の複数の出力ポートから出力される分岐光のいずれかは、ドロップ光に相当する。また、ＳＰＬ３２の複数の出力ポートから出力される分岐光の他のいずれかは、ＷＳＳ３３Ａにスルーされるスルー光に相当する。ドロップ光が出力される出力ポートは、ドロップポートと称してよく、スルー光が出力される出力ポートは、スルーポートと称してよい。
【００４０】
なお、ＳＰＬ３２は、代替的に、ＷＳＳを用いて実現されてもよい。アップストリーム側のＳＰＬ（又はＷＳＳ）３２Ａは、ダウンストリームの光伝送路４Ａを伝送される光が入力されて当該光を複数の出力ポートのいずれかに分岐出力又は選択出力する光デバイスの一例である。ダウンストリーム側のＳＰＬ（ＷＳＳ）３２Ｂは、アップストリームの光伝送路４Ｂを伝送される光が入力されて当該光を複数の出力ポートに分岐出力又は選択出力する光デバイスの一例である。
【００４１】
ＷＳＳ３３は、複数の入力ポートと１つの出力ポートとを有し、複数の入力ポートのいずれかにＳＰＬ３２からのスルー光が入力され、当該複数の入力ポートの他のいずれかにアド光が入力される。アド光が入力される入力ポートは、アドポートと称してよい。ＷＳＳ３３は、複数の入力ポートに入力された光を波長単位で選択的に出力ポートに出力する。出力ポートから出力された光は、ポストアンプ３４に入力される。
【００４２】
ポストアンプ３４は、ＷＳＳ３３の出力ポートから入力された光を増幅して光伝送路４へ出力する。
【００４３】
いずれかのノード＃ｉのＷＳＳ３３の入力ポートのいずれかには、ネットワークパラメータを測定するために用いられる光（以下「測定光」と称する。）を送信可能な測定光送信部３５が接続されてよい。
【００４４】
別言すると、ＷＳＳ３３のアドポートに、アド光として測定光を入力してよい。図１には、ノード＃０におけるダウンストリーム側のＷＳＳ３３Ａのアドポートの１つに測定光送信部３５が接続された態様を例示している。測定光送信部３５は、後述するように測定光を出力する光源を具備するので、「光源部３５」と称してもよい。測定光送信部３５及びＷＳＳ３３Ａは、ダウンストリームの光伝送路４Ａへ測定光を送信する光送信部の一例を成すと捉えてよい。
【００４５】
また、測定光送信部３５が備えられるノード＃０の、ダウンストリーム側のＳＰＬ３２Ｂの出力ポートの１つには、測定光を受信する測定光受信部３６が接続されてよい。別言すると、ＳＰＬ３２Ｂのドロップポートから、ドロップ光としての測定光を測定光受信部３６に入力してよい。測定光受信部３６は、受信した測定光を基にネットワークパラメータの測定を行なう。そのため、測定光受信部３６は、「光パフォーマンスモニタ（ＯＰＭ）３６」あるいは「測定器３６」と称してもよい。ＳＰＬ３２Ｂ及びＯＰＭ３６は、アップストリームの光伝送路４Ｂを伝送されてくる測定光を受信する光受信部の一例を成すと捉えてよい。
【００４６】
測定光受信部３６で受信される測定光は、測定光送信部３５からＷＳＳ３３Ａを通じて光伝送路４Ａへ送信され、他のノード＃１〜＃ｎのいずれかで折り返されてノード＃０に対向の光伝送路４Ｂを介して戻ってくる測定光である。
【００４７】
測定光の折り返しを可能にするために、他のノード＃１〜＃ｎでは、図２に符号３７で例示するように、ＳＰＬ３２Ａの出力ポートの１つとＷＳＳ３３Ｂの入力ポートの１つとが光学的に接続（「折り返し接続」と称してよい。）される。当該折り返し接続３７には、光ファイバを用いてよい。折り返し接続３７に用いる光ファイバを、便宜的に、折り返しファイバ３７と称することがある。ノード＃１〜＃ｎのＳＰＬ３２Ａは、ダウンストリームの光伝送路４Ａを伝送されてくる測定光を受信する光受信部の一例を成すと捉えてよい。
【００４８】
折り返し接続３７は、固定的な接続であってもよいし、折り返し接続３７が形成される入出力ポート間を動的に接続及び切断可能な接続であってもよい。動的な接続及び切断には、光の透過及び遮断を動的に切り替え可能な光スイッチ（以下、便宜的に、「折り返しポート間スイッチ」と称することがある。）を用いてよい。
【００４９】
ＳＰＬ３２Ａから折り返し接続３７によりＷＳＳ３３Ｂに入力された光に含まれる測定光は、アップストリーム側のＷＳＳ３３Ｂにて選択されて、アップストリームの光伝送路４Ｂへ送信される。従って、折り返し接続３７及びＷＳＳ３３Ｂは、測定光をアップストリームの光伝送路４Ｂへ折り返して送信する光送信部の一例を成すと捉えてよい。
【００５０】
以上の構成により、図２に例示する光ネットワーク１では、測定光送信部３５を具備するノード＃０において測定光をダウンストリームへの光にアドし、他のノード＃１〜＃ｎのいずれかにおいて受信した測定光をアップストリームへ折り返すことができる。折り返された測定光は、アップストリーム側の光伝送路４Ｂを通じてノード＃０へ伝送される。
【００５１】
ノード＃０では、このように折り返されて戻ってきた測定光を測定光受信部３６にて受信する。したがって、測定光受信部３６は、受信した測定光を基に、ノード＃０から当該測定光が折り返された他のノード＃１〜＃ｎのいずれかまでの伝送区間（「スパン」と称してもよい。）についてのネットワークパラメータを測定できる。
【００５２】
別言すると、光ネットワーク１における１つのノード＃０に測定光送信部３５及び測定光受信部３６を具備すれば、任意のスパンのネットワークパラメータを当該ノード＃０にて測定することが可能となる。なお、測定光送信部３５及び測定光受信部３６を具備するノード＃０は、「測定ノード＃０」と称してもよい。
【００５３】
また、測定光送信部３５から送信する光の波長を変更し、当該変更に応じてＷＳＳ３３での選択波長を変更（制御）すれば、光ネットワーク１で用いられる任意の波長についてのネットワークパラメータを測定することも可能である。
【００５４】
ノード＃０によるネットワークパラメータの測定開始や終了の指示は、例示的に、ＮＭＳ２から制御信号によって与えられてよい。ノード＃０は、ＮＭＳ２から受信した制御信号に応じて、測定光送信部３５による測定光の送信開始や終了、測定光受信部３６による測定開始や終了を制御してよい。また、当該制御に応じて、測定光の折り返しを実施する他ノード＃１〜＃ｎをノード＃０から設定（指定）、制御してもよい。
【００５５】
以上のような測定に関わる設定や制御を可能にする制御信号は、例示的に、監視制御光を用いてノード＃ｉ間で送受信できるようにしてよい。監視制御光は、ＯＳＣ（Optical Supervisory Channel）光と称してもよい。ＯＳＣ光の送受信が可能なノード＃ｉの構成例を図３に示す。なお、図３には、２台のノード＃０及び＃１に着目した構成例を示している。他のノード＃２〜＃ｎの構成も、ノード＃０及び＃１と同一あるいは同様と考えてよい。
【００５６】
図３に示すノード＃０（＃１）は、例示的に、ＯＳＣ光送受信機３８Ａ及び３８Ｂと、制御部３９Ａ及び３９Ｂと、を備える。
【００５７】
一方のＯＳＣ光送受信機３８Ａは、例示的に、ダウンストリームの光伝送路４Ａを通じて受信されるＯＳＣ光を受信し、当該ＯＳＣ光によって示される制御信号を制御部３９Ａに送信する。また、ＯＳＣ光送受信機３８Ａは、制御部３９Ａで生成された制御信号に応じたＯＳＣ光を生成してアップストリームの光伝送路４Ｂへ送信する。
【００５８】
ダウンストリームの光伝送路４ＡからＯＳＣ光送受信機３８ＡへのＯＳＣ光を含む光の入力（受信）は、例示的に、プリアンプ３１Ａの前段に設けられた光分岐器４０Ａによって実現してよい。光分岐器４０Ａは、分岐カプラであってよく、光伝送路４Ａから入力される光を分岐してプリアンプ３１ＡとＯＳＣ光送受信機３８Ａとに出力する。
【００５９】
また、アップストリームの光伝送路４ＢへのＯＳＣ光の入力（送信）は、例示的に、ポストアンプ３４Ｂの後段に設けられた光合波器４１Ｂによって実現してよい。光合波器４１Ｂは、合波カプラであってよく、ＯＳＣ光送受信機３８Ａから送信されたＯＳＣ光をポストアンプ３４Ｂの出力光に合波して光伝送路４Ｂへ送信する。
【００６０】
他方のＯＳＣ光送受信機３８Ｂは、例示的に、アップストリームの光伝送路４Ｂを通じて受信されるＯＳＣ光を受信し、当該ＯＳＣ光によって示される制御信号を制御部３９Ｂに送信する。また、ＯＳＣ光送受信機３８Ｂは、制御部３９Ｂで生成された制御信号に応じたＯＳＣ光を生成してダウンストリームの光伝送路４Ａへ送信する。
【００６１】
アップストリームの光伝送路４ＢからＯＳＣ光送受信機３８ＢへのＯＳＣ光を含む光の入力（受信）は、例示的に、プリアンプ３１Ｂの前段に設けられた光分岐器４０Ｂによって実現してよい。光分岐器４０Ｂは、分岐カプラであってよく、光伝送路４Ｂから入力される光を分岐してプリアンプ３１ＢとＯＳＣ光送受信機３８Ｂとに出力する。
【００６２】
また、ダウンストリームの光伝送路４ＡへのＯＳＣ光の入力（送信）は、例示的に、ポストアンプ３４Ａの後段に設けられた光合波器４１Ａによって実現してよい。光合波器４１Ａは、合波カプラであってよく、ＯＳＣ光送受信機３８Ｂから送信されたＯＳＣ光をポストアンプ３４Ａの出力光に合波して光伝送路４Ａへ送信する。
【００６３】
制御部３９Ａ及び３９Ｂは、対応するＯＳＣ光送受信機３８Ａ及び３８Ｂを通じて、上述のように他ノード＃ｊとの間で制御信号を送受信し、制御信号に応じて自ノード＃ｉの動作を制御する。当該制御には、既述のネットワークパラメータの測定に関わる制御が含まれてよい。
【００６４】
なお、制御部３９Ａ及び３９Ｂは、図３中に例示するようにＯＳＣ光送受信機３８Ａ及び３８Ｂに対して個別的に備えられていてもよいし、一体化されてＯＳＣ光送受信機３８Ａ及び３８Ｂに共通の制御部として備えられてもよい。制御部３９Ａ及び３９Ｂを区別しなくてよい場合には、単に「制御部３９」と称することがある。
【００６５】
測定光送信部３５及び測定光受信部３６を具備するノード＃０における制御部３９は、測定光送信部３５及び測定光受信部３６による測定動作を制御してよい。測定動作の制御において測定光の波長（以下「測定波長」と称することがある。）を変更する場合、制御部３９は、当該変更に応じて測定光が入力されるＷＳＳ３３での選択波長を制御してよい。併せて、制御部３９は、当該測定波長の変更に応じて測定光受信部３６の測定動作を制御してよい。
【００６６】
次に、図４を参照して、測定ノード＃０によるネットワークパラメータの測定手順の一例を説明する。
【００６７】
図４に例示するように、まず、測定ノード＃０において、測定光送信部３５から送信する測定光の波長を測定対象の波長（周波数ｆ）に設定する（処理Ｐ１１及びＰ１２）。当該設定は、例えば、測定ノード＃０の制御部３９が、測定光送信部３５に備えられた可変波長光源の発振周波数を制御することで実施される。なお、可変波長光源の一例は、チューナブルレーザダイオード（ＴＬＤ）である。
【００６８】
測定光送信部３５から送信された測定光は、ダウンストリームのＷＳＳ３３Ａのアドポートにアド光として入力（アド）され（処理Ｐ１３）、ＷＳＳ３３Ａから光伝送路４Ａを通じてノード＃１へ送信される。
【００６９】
ノード＃１では、ダウンストリームのＳＰＬ３２Ａのドロップポートの１つと、アップストリームのＷＳＳ３３Ｂのアドポートの１つと、が折り返し接続３７によって接続される。これにより、ＳＰＬ３２Ａで分岐された、測定光を含む光が、ノード＃１において、ＷＳＳ３３Ｂのアドポートに折り返される（処理Ｐ１４）。
【００７０】
ＷＳＳ３３Ｂは、折り返し接続３７によって折り返された光を、ポストアンプ３４Ｂを通じてアップストリームの光伝送路４Ｂ（ノード＃０）へ送信する（処理Ｐ１５）。
【００７１】
ノード＃０では、ノード＃１で折り返された測定光を含む光が光伝送路４Ｂを通じてＳＰＬ３２Ｂに入力され、ＳＰＬ３２Ｂにて、測定光を含む光が測定光受信部３６にドロップされる（処理Ｐ１６）。
【００７２】
測定光受信部３６は、ＳＰＬ３２Ｂからドロップされた測定光を受信し、受信した測定光を基に、ネットワークパラメータを測定する（処理Ｐ１７）。これにより、ノード＃０−＃１間のスパンについてのネットワークパラメータの測定が完了する。
【００７３】
他のスパンについてのネットワークパラメータの測定は、測定光の折り返しを実施するノード＃ｊを変更することで可能になる。例えば、隣接ノード＃ｊ間すべてのスパンについてのネットワークパラメータを測定するのであれば、折り返しを実施するノード（以下「折り返しノード」と称することがある。）＃ｋ（ｋ＝２〜ｎのいずれか）を順番に変更すればよい。
【００７４】
図４の例では、ノード番号ｋを１ずつインクリメントしながら繰り返し異なるスパンについてのネットワークパラメータの測定を実施する（処理Ｐ１８〜Ｐ２５）。
【００７５】
例えば、折り返しノード＃ｋ以外のノード＃１〜＃（ｋ−１）では、ノード＃０から送信された測定光が折り返しノード＃ｋに到達するようにダウンストリームのＷＳＳ３３Ａにて測定光をスルーさせる（処理Ｐ１９）。
【００７６】
折り返しノード＃ｋでは、ＳＰＬ３２Ａで分岐された、測定光を含む光が折り返し接続３７を通じてアップストリームのＷＳＳ３３Ｂのアドポートに折り返される（処理Ｐ２０）。
【００７７】
折り返しノード＃ｋのＷＳＳ３３Ｂは、折り返し接続３７によって折り返された光を、ポストアンプ３４Ｂを通じてアップストリームの光伝送路４Ｂ（ノード＃（ｋ−１））へ送信する（処理Ｐ２１）。
【００７８】
折り返しノード＃ｋ以外のノード＃（ｋ−１）〜＃１では、ノード＃ｋで折り返された測定光が測定ノード＃０に到達するようにアップストリームのＷＳＳ３３Ｂにて測定光をスルーさせる（処理Ｐ２２）。
【００７９】
ノード＃０では、ノード＃ｋで折り返された測定光を含む光が光伝送路４Ｂを通じてＳＰＬ３２Ｂに入力され、ＳＰＬ３２Ｂにて、測定光を含む光が測定光受信部３６にドロップされる（処理Ｐ２３）。
【００８０】
測定光受信部３６は、ＳＰＬ３２Ｂからドロップされた測定光を受信し、受信した測定光を基に、ネットワークパラメータを測定する（処理Ｐ２４）。これにより、ノード＃０−＃ｋ間のスパンについてのネットワークパラメータの測定が完了する。以上の処理Ｐ１９〜Ｐ２４が、折り返しノード番号ｋを変更しながら繰り返し実施される。
【００８１】
すべてのノード＃１〜＃ｎについての測定が完了すると、ノード＃０は、すべてのノード＃０〜＃ｎでの測定光のスルー接続や折り返し接続の設定を解除してよい（処理Ｐ２６）。当該解除には、既述のＯＳＣ光を用いてよい。
【００８２】
ノード＃０は、各スパンについてのネットワークパラメータの測定結果を基に、各ノード＃１〜＃ｎでのネットワークパラメータを計算することができる（処理Ｐ２７）。測定波長（周波数ｆ）を変更する場合には、測定波長毎に、上述した処理Ｐ１１〜処理Ｐ２７が繰り返せばよい（処理Ｐ２８）。
【００８３】
以上のようにして、光ネットワーク１のネットワークパラメータが測定（実測）可能になることで、光ネットワーク１の伝送性能の向上を図ったり、リスク低減を図ったりすることが可能になる。
【００８４】
例えば、ネットワークパラメータの設計値よりも実測値の方が小さければ、実測値に基づいて、伝送距離や伝送容量の拡大化、波長グリッド間隔の変更（例えば、狭小化による周波数利用効率の向上）等を図ることができる。また、実測値に基づいて、信号光の変調方式をより適切な変調方式に変更（例えば、多値度を変更）したり、いわゆる３Ｒ中継器の配備を不要にして光ネットワーク１のコストダウンや低消費電力化を図ったりすることもできる。
【００８５】
一方、ネットワークパラメータの設計値と実測値とが同じか略等しい場合（別言すると、マージンが無いか少ない場合）、光ネットワーク１を最適化してリスク低減を図ったり、パス変更時のリスク低減を図ったりすることができる。例えば、予め変更先のパスの特性を実測値によって把握できることにより、パス変更に伴って伝送品質が劣化する可能性を低減したり、プロテクションパスの多様化を図ったりすることができる。
【００８６】
次に、図５〜図８を参照して、測定光送信部３５及び測定光受信部３６の構成例について説明する。測定光送信部３５及び測定光受信部３６の構成に応じて、ＯＳＮＲ、ＰＤＬ、ＰＭＤ及び波長分散（ＣＤ）のいずれかを測定することが可能となる。
【００８７】
（ＯＳＮＲの測定）
ＯＳＮＲを測定する場合、測定光送信部３５は、図５に例示するように、可変波長光源（例えば、ＴＬＤ）３５１を備えればよい。なお、測定波長を変更しなくてよければ、光源３５１は固定波長光源であってよい。この点は、図７、図９及び図１１にて後述する測定光送信部３５の構成においても同様である。
【００８８】
一方、測定光受信部３６は、図６に例示するように、ＯＳＮＲモニタ３６１を備えればよい。ＯＳＮＲモニタ３６１には、既知の構成やアルゴリズムを適用してよい。
【００８９】
（ＰＤＬの測定）
ＰＤＬを測定する場合、測定光送信部３５は、図７に例示するように、可変波長光源（例えば、ＴＤＬ）３５１と、偏波コントローラ３５２と、を備えればよい。偏波コントローラ３５２は、可変波長光源３５１の出力光の偏波を制御することにより、測定光を偏波スクランブルすることが可能である。
【００９０】
一方、測定光受信部３６は、図８に例示するように、光パワーメータ３６２を備えればよい。光パワーメータ３６２は、入力（受信）光のパワーを測定可能である。測定光送信部３５で偏波スクランブルされた測定光の受信パワーを測定光受信部３６の光パワーメータ３６２にて測定する。光パワーメータ３６２にて、偏波スクランブルに応じたパワーの最大値と最小値との差分を検出することで、ＰＤＬを測定することができる。当該検出方法は、Ｍｉｎ−Ｍａｘ法と称してよい。
【００９１】
（ＰＭＤの測定）
ＰＭＤを測定する場合、測定光送信部３５は、図９に例示するように、図７の測定光送信部３５と同様に、可変波長光源３５１と、偏波コントローラ３５２と、を備えればよい。
【００９２】
一方、測定光受信部３６は、図１０に例示するように、偏波アナライザ３６３を備えればよい。偏波アナライザ３６３は、測定光送信部３５で偏波スクランブルされた測定光の偏波状態を解析することで、ＰＭＤを測定することが可能である。
【００９３】
偏波アナライザ３６３での解析アルゴリズムには、例示的に、ジョーンズマトリクス法（Jones Matrix Eigenanalysis method：ＪＭＥ法）、ポアンカレ球法（Poincare Sphere method：ＰＳ法）、ミューラーマトリクス法（Muller Matrix Method：ＭＭＭ）等を適用してよい。
【００９４】
（ＣＤの測定）
波長分散（ＣＤ）の測定には、変調位相シフト法（Modulation Phase Shift method：ＭＰＳ法）や、波長掃引干渉法（Swept Wavelength Interferometry method：ＳＷＩ法）等を適用してよい。
【００９５】
ＭＰＳ法を適用する場合、測定光送信部３５は、図１１に例示するように、可変波長光源（例えば、ＴＬＤ）３５１と、強度変調器３５３と、を備えればよい。一方、測定光受信部３６は、図１２に例示するように、分散アナライザ３６４を備えればよい。
【００９６】
ＭＰＳ法では、可変波長光源３５１の出力光に強度変調器３５３によって強度変調を与え、分散アナライザ３６４にて、受信した測定光の位相の波長依存性を解析することにより、ＣＤを計算することができる。
【００９７】
なお、図５〜図１２に例示した構成を適宜に組み合わせて、ＯＳＮＲ、ＰＤＬ、ＰＭＤ及びＣＤのいずれか２以上のネットワークパラメータを複合的に測定できるようにしてもよい。
【００９８】
（ＯＳＮＲの測定方法：図１３〜図１８）
次に、図１３〜図１８を参照して、ＯＳＮＲの測定方法について説明する。
【００９９】
（ノード＃０−＃１間のＯＳＮＲ（＃１）の測定）
ノード＃０−＃１間（スパン＃１：図１６参照）についてのノード＃１でのＯＳＮＲ（＃１）を測定するには、図１３に例示するように、ノード＃０の測定光送信部３５から測定光をノード＃１へ伝送される光にアドする（図１７の処理Ｐ３１）。
【０１００】
ノード＃１は、受信した測定光をアップストリームへ折り返してノード＃０へ送信する（図１７の処理Ｐ３２）。
【０１０１】
ノード＃０は、ノード＃１にて折り返されてくる測定光を測定光受信部３６にて受信する。測定光受信部３６のＯＳＮＲモニタ３６１は、受信した測定光を基にスパン＃１のトータルのＯＳＮＲ（ｔｏｔａｌ）を測定する（図１７の処理Ｐ３３）。
【０１０２】
ここで、スパン＃１のダウンストリーム及びアップストリームのＯＳＮＲが同等であると仮定すると、スパン＃１についてのノード＃１でのＯＳＮＲ（＃１）は、測定されたＯＳＮＲ（ｔｏｔａｌ）を基に、下記の数式１によって求めることができる。
【数１】
2016012826.tif 000003
【０１０３】
（ノード＃１−＃２間のＯＳＮＲ（＃２）の測定）
次に、ノード＃１−＃２間（スパン＃２：図１６参照）についてのノード＃２でのＯＳＮＲ（＃２）を測定するには、図１４に例示するように、ノード＃０の測定光送信部３５から測定光をノード＃１へ伝送される光にアドする（図１７の処理Ｐ３４及びＰ３５）。
【０１０４】
ノード＃１は、ノード＃０から受信した測定光をダウンストリームのノード＃２へスルーする（図１７の処理Ｐ３６）。
【０１０５】
ノード＃２は、ノード＃１から受信した測定光をアップストリームへ折り返してノード＃１へ送信する（図１７の処理Ｐ３７）。
【０１０６】
ノード＃１は、ノード＃２から受信した測定光をノード＃０へスルーする（図１７の処理Ｐ３８）。
【０１０７】
ノード＃０は、ノード＃２にて折り返されノード＃１をスルーしてきた測定光を測定光受信部３６にて受信する。測定光受信部３６のＯＳＮＲモニタ３６１は、受信した測定光を基にスパン＃１及び＃２のトータルのＯＳＮＲ（ｔｏｔａｌ）を測定する（図１７の処理Ｐ３９）。
【０１０８】
ここで、スパン＃１及び＃２のダウンストリーム及びアップストリームのＯＳＮＲが同等であると仮定する。この場合、スパン＃２についてのノード＃２でのＯＳＮＲ（＃２）は、測定されたＯＳＮＲ（ｔｏｔａｌ）と、スパン＃１のＯＳＮＲ（＃１）と、を基に、下記の数式２によって求めることができる（図１７の処理Ｐ４０）。
【数２】
2016012826.tif 000004
【０１０９】
（ノード＃２−＃３間のＯＳＮＲ（＃３）の測定）
次に、ノード＃２−＃３間（スパン＃３：図１６参照）についてのノード＃３でのＯＳＮＲ（＃３）を測定するには、図１５に例示するように、ノード＃０の測定光送信部３５から測定光をノード＃１へ伝送される光にアドする（図１７の処理Ｐ３４及びＰ３５）。
【０１１０】
ノード＃１は、ノード＃０から受信した測定光をダウンストリームのノード＃２へスルーし、ノード＃２は、ノード＃１から受信した測定光をダウンストリームのノード＃３へスルーする（図１７の処理Ｐ３６）。
【０１１１】
ノード＃３は、ノード＃２から受信した測定光をアップストリームへ折り返す（図１７の処理Ｐ３７）。
【０１１２】
ノード＃２は、ノード＃３から受信される測定光をノード＃１へスルーし、同様に、ノード＃１は、ノード＃２から受信した測定光をノード＃０へスルーする（図１７の処理Ｐ３８）。
【０１１３】
ノード＃０は、ノード＃３にて折り返されノード＃２及び＃１をそれぞれスルーしてきた測定光を測定光受信部３６にて受信する。測定光受信部３６のＯＳＮＲモニタ３６１は、受信した測定光を基にスパン＃１〜＃３のトータルのＯＳＮＲ（ｔｏｔａｌ）を測定する（図１７の処理Ｐ３９）。
【０１１４】
ここで、スパン＃１〜＃３のダウンストリーム及びアップストリームのＯＳＮＲが同等であると仮定する。この場合、スパン＃３についてのノード＃３でのＯＳＮＲ（＃３）は、測定されたＯＳＮＲ（ｔｏｔａｌ）と、スパン＃１のＯＳＮＲ（＃１）及びスパン＃２のＯＳＮＲ（＃２）と、を基に、下記の数式３によって求めることができる（図１７の処理Ｐ４０）。
【数３】
2016012826.tif 000005
【０１１５】
（ＯＳＮＲ測定方法の一般化）
ノード＃（ｋ−１）とノード＃ｋとの間のスパン＃ｋについてのノード＃ｋでのＯＳＮＲ（＃ｋ）は、図１６及び図１７に例示するように、折り返しノード＃ｋをｋ＝１〜ｎの範囲で、順次、変更しながら測定を繰り返すことで測定可能である。
【０１１６】
例えば図１３に例示したようにノード＃０−＃１間（スパン＃１）のＯＳＮＲ（＃１）がまず測定される（図１７の処理Ｐ３１〜Ｐ３３）。その後、ｋの値を２〜ｎの範囲で順次変更することで、スパン＃ｋのＯＳＮＲ（＃ｋ）を繰り返し測定する（図１７の処理Ｐ３４〜Ｐ４１）。
【０１１７】
例えば、ノード＃０は、測定光送信部３５から測定光をノード＃１へ伝送される光にアドする（図１７の処理Ｐ３５）。
【０１１８】
ノード＃１〜＃（ｋ−１）は、ノード＃０から受信した測定光をダウンストリームのノード＃ｋへスルーする（図１７の処理Ｐ３６）。
【０１１９】
ノード＃ｋは、ノード＃（ｋ−１）から受信した測定光をアップストリームへ折り返す（図１７の処理Ｐ３７）。
【０１２０】
ノード＃（ｋ−１）〜＃１は、ノード＃ｋから受信した測定光をノード＃０へスルーする（図１７の処理Ｐ３８）。
【０１２１】
ノード＃０は、ノード＃２にて折り返されノード＃（ｋ−１）〜＃１をスルーしてきた測定光を測定光受信部３６にて受信する。測定光受信部３６のＯＳＮＲモニタ３６１は、受信した測定光を基にスパン＃１〜＃ｋのトータルのＯＳＮＲ（ｔｏｔａｌ）を測定する（図１７の処理Ｐ３９）。
【０１２２】
ここで、スパン＃１〜＃ｋのダウンストリーム及びアップストリームのＯＳＮＲが同等であると仮定する。この場合、スパン＃ｋについてのノード＃ｋでのＯＳＮＲ（＃ｋ）は、測定されたＯＳＮＲ（ｔｏｔａｌ）と、スパン＃１〜＃ｋのＯＳＮＲ（＃１）〜ＯＳＮＲ（＃ｋ−１）と、を基に、下記の数式４によって求めることができる（図１７の処理Ｐ４０）。
【数４】
2016012826.tif 000006
【０１２３】
なお、スパン＃ｋのＯＳＮＲ（＃ｋ）は、ノード＃１〜＃ｎの中に構成が相違するノードが存在しても上記の数式４によって求めてよい。例えば、ノード＃１〜＃ｎの中にＩＬＡ（In Line Amplifier）を有するがＯＡＤＭ機能を有さないノードが存在したとしても、上記の数式４によってスパン＃ｋのＯＳＮＲ（＃ｋ）を求めてよい。
【０１２４】
或るノード＃ｋから他のノード＃ｍ（ｍ＝１〜ｎのいずれかであり、ｍ＞ｋ）に至る経路のノード＃ｍでの受信ＯＳＮＲ（真数）は、測定した各ノード＃ｋでのＯＳＮＲ（＃ｋ）に基づいて、以下の数式５によって求めることができる。
【数５】
2016012826.tif 000007
【０１２５】
例えば図１８に示すように、ノード＃１からノード＃２及びノード＃３を経由してノード＃４に至る経路のノード＃４での受信ＯＳＮＲは、以下の数式６によって求めることができる。
【数６】
2016012826.tif 000008
【０１２６】
（ＰＤＬの測定方法）
次に、ＰＤＬの測定方法について説明する。
【０１２７】
（ノード＃０−＃１間のＰＤＬ（＃１）の測定）
ノード＃０−＃１間（スパン＃１：図１９参照）についてのノード＃１でのＰＤＬ（＃１）を測定するには、ノード＃０の測定光送信部３５において偏波コントローラ３５２によって測定光を偏波スクランブルする。偏波スクランブルされた測定光は、ノード＃１へ伝送される光にアドされる（図２０の処理Ｐ５１）。
【０１２８】
ノード＃１は、図１３に例示するように、受信した測定光をアップストリームへ折り返してノード＃０へ送信する（図２０の処理Ｐ５２）。
【０１２９】
ノード＃０は、ノード＃１にて折り返されてくる測定光を測定光受信部３６にて受信する。測定光受信部３６の光パワーメータ３６２は、受信した測定光のパワー変動を基に例えばＭｉｎ−Ｍａｘ法によりスパン＃１のトータルのＰＤＬ（ｔｏｔａｌ）を測定する（図２０の処理Ｐ５３）。
【０１３０】
ここで、スパン＃１のダウンストリーム及びアップストリームのＰＤＬが同等であると仮定すると、スパン＃１についてのノード＃１でのＰＤＬ（＃１）は、測定されたＰＤＬ（ｔｏｔａｌ）を基に、下記の数式７によって求めることができる。
【数７】
2016012826.tif 000009
【０１３１】
（ノード＃１−＃２間のＰＤＬ（＃２）の測定）
次に、ノード＃１−＃２間（スパン＃２：図１９参照）についてのノード＃２でのＰＤＬ（＃２）を測定するには、ノード＃０の測定光送信部３５から偏波スクランブルされた測定光をノード＃１へ伝送される光にアドする（図２０の処理Ｐ５４及びＰ５５）。
【０１３２】
ノード＃１は、図１４に例示するように、ノード＃０から受信した測定光をダウンストリームのノード＃２へスルーする（図２０の処理Ｐ５６）。
【０１３３】
ノード＃２は、図１４に例示するように、ノード＃１から受信した測定光をアップストリームへ折り返してノード＃１へ送信する（図２０の処理Ｐ５７）。
【０１３４】
ノード＃１は、図１４に例示するように、ノード＃２から受信した測定光をノード＃０へスルーする（図２０の処理Ｐ５８）。
【０１３５】
ノード＃０は、ノード＃２にて折り返されノード＃１をスルーしてきた測定光を測定光受信部３６にて受信する。測定光受信部３６の光パワーメータ３６２は、受信した測定光のパワー変動を基に例えばＭｉｎ−Ｍａｘ法によりスパン＃１及び＃２のトータルのＰＤＬ（ｔｏｔａｌ）を測定する（図２０の処理Ｐ５９）。
【０１３６】
ここで、スパン＃１及び＃２のダウンストリーム及びアップストリームのＰＤＬが同等であると仮定する。この場合、スパン＃２についてのノード＃２でのＰＤＬ（＃２）は、測定されたＰＤＬ（ｔｏｔａｌ）と、スパン＃１のＰＤＬ（＃１）と、を基に、下記の数式８によって求めることができる（図２０の処理Ｐ６０）。
【数８】
2016012826.tif 000010
【０１３７】
（ノード＃２−＃３間のＰＤＬ（＃３）の測定）
次に、ノード＃２−＃３間（スパン＃３：図１９参照）についてのノード＃３でのＰＤＬ（＃３）を測定するには、ノード＃０の測定光送信部３５から偏波スクランブルされた測定光をノード＃１へ伝送される光にアドする（図２０の処理Ｐ５４及びＰ５５）。
【０１３８】
ノード＃１は、図１５に例示するように、ノード＃０から受信した測定光をダウンストリームのノード＃２へスルーし、ノード＃２は、ノード＃１から受信した測定光をダウンストリームのノード＃３へスルーする（図２０の処理Ｐ５６）。
【０１３９】
ノード＃３は、図１５に例示するように、ノード＃２から受信した測定光をアップストリームへ折り返す（図２０の処理Ｐ５７）。
【０１４０】
ノード＃２は、ノード＃３から受信される測定光をノード＃１へスルーし、同様に、ノード＃１は、ノード＃２から受信した測定光をノード＃０へスルーする（図２０の処理Ｐ５８）。
【０１４１】
ノード＃０は、ノード＃３にて折り返されノード＃２及び＃１をそれぞれスルーしてきた測定光を測定光受信部３６にて受信する。測定光受信部３６の光パワーメータ３６２は、受信した測定光のパワー変動を基に例えばＭｉｎ−Ｍａｘ法によりスパン＃１〜＃３のトータルのＰＤＬ（ｔｏｔａｌ）を測定する（図２０の処理Ｐ５９）。
【０１４２】
ここで、スパン＃１〜＃３のダウンストリーム及びアップストリームのＰＤＬが同等であると仮定する。この場合、スパン＃３についてのノード＃３でのＰＤＬ（＃３）は、測定されたＰＤＬ（ｔｏｔａｌ）と、スパン＃１のＰＤＬ（＃１）及びスパン＃２のＰＤＬ（＃２）と、を基に、下記の数式９によって求めることができる（図２０の処理Ｐ６０）。
【数９】
2016012826.tif 000011
【０１４３】
（ＰＤＬ測定方法の一般化）
ノード＃（ｋ−１）とノード＃ｋとの間のスパン＃ｋについてのノード＃ｋでのＰＤＬ（＃ｋ）は、図１９及び図２０に例示するように、折り返しノード＃ｋをｋ＝１〜ｎの範囲で、順次、変更しながら測定を繰り返すことで測定可能である。
【０１４４】
例えば図１３に例示したようにノード＃０−＃１間（スパン＃１）のＰＤＬ（＃１）がまず測定される（図２０の処理Ｐ５１〜Ｐ５３）。その後、ｋの値を２〜ｎの範囲で順次変更することで、スパン＃ｋのＰＤＬ（＃ｋ）を繰り返し測定する（図２０の処理Ｐ５４〜Ｐ６１）。
【０１４５】
例えば、ノード＃０は、測定光送信部３５から偏波スクランブルされた測定光をノード＃１へ伝送される光にアドする（図２０の処理Ｐ５５）。
【０１４６】
ノード＃１〜＃（ｋ−１）は、ノード＃０から受信した測定光をダウンストリームのノード＃ｋへスルーする（図２０の処理Ｐ５６）。
【０１４７】
ノード＃ｋは、ノード＃（ｋ−１）から受信した測定光をアップストリームへ折り返す（図２０の処理Ｐ５７）。
【０１４８】
ノード＃（ｋ−１）〜＃１は、ノード＃ｋから受信した測定光をノード＃０へスルーする（図２０の処理Ｐ５８）。
【０１４９】
ノード＃０は、ノード＃２にて折り返されノード＃（ｋ−１）〜＃１をスルーしてきた測定光を測定光受信部３６にて受信する。測定光受信部３６の光パワーメータ３６２は、受信した測定光のパワー変動を基に例えばＭｉｎ−Ｍａｘ法によりスパン＃１〜＃ｋのトータルのＰＤＬ（ｔｏｔａｌ）を測定する（図２０の処理Ｐ５９）。
【０１５０】
ここで、スパン＃１〜＃ｋのダウンストリーム及びアップストリームのＰＤＬが同等であると仮定する。この場合、スパン＃ｋについてのノード＃ｋでのＰＤＬ（＃ｋ）は、測定されたＰＤＬ（ｔｏｔａｌ）と、スパン＃１〜＃ｋのＰＤＬ（＃１）〜ＰＤＬ（＃ｋ−１）と、を基に、下記の数式１０によって求めることができる（図２０の処理Ｐ６０）。
【数１０】
2016012826.tif 000012
【０１５１】
なお、スパン＃ｋのＰＤＬ（＃ｋ）は、ノード＃１〜＃ｎの中に構成が相違するノードが存在しても上記の数式１０によって求めてよい。例えば、ノード＃１〜＃ｎの中にＩＬＡを有するがＯＡＤＭ機能を有さないノードが存在したとしても、上記の数式１０によってスパン＃ｋのＰＤＬ（＃ｋ）を求めてよい。
【０１５２】
或るノード＃ｋから他のノード＃ｍ（ｍ＝１〜ｎのいずれかであり、ｍ＞ｋ）に至る経路のトータルのＰＤＬは、測定した各ノード＃ｋでのＰＤＬ（＃ｋ）に基づいて、以下の数式１１によって求めることができる。
【数１１】
2016012826.tif 000013
【０１５３】
例えば図１８に示すように、ノード＃１からノード＃２及びノード＃３を経由してノード＃４に至る経路のノード＃４でのＰＤＬは、以下の数式１２によって求めることができる。
【数１２】
2016012826.tif 000014
【０１５４】
（ＰＭＤの測定方法）
次に、ＰＭＤの測定方法について説明する。
【０１５５】
（ノード＃０−＃１間のＰＭＤ（＃１）の測定）
ノード＃０−＃１間（スパン＃１：図２１参照）についてのノード＃１でのＰＭＤ（＃１）を測定するには、ノード＃０の測定光送信部３５において偏波コントローラ３５２によって測定光を偏波スクランブルする。偏波スクランブルされた測定光は、ノード＃１へ伝送される光にアドされる（図２２の処理Ｐ７１）。
【０１５６】
ノード＃１は、図１３に例示するように、受信した測定光をアップストリームへ折り返してノード＃０へ送信する（図２２の処理Ｐ７２）。
【０１５７】
ノード＃０は、ノード＃１にて折り返されてくる測定光を測定光受信部３６にて受信する。測定光受信部３６の偏波アナライザ３６３は、受信した測定光の偏波状態を解析することで、スパン＃１のトータルのＰＭＤ（ｔｏｔａｌ）を測定する（図２２の処理Ｐ７３）。
【０１５８】
ここで、スパン＃１のダウンストリーム及びアップストリームのＰＤＬが同等であると仮定すると、スパン＃１についてのノード＃１でのＰＭＤ（＃１）は、測定されたＰＭＤ（ｔｏｔａｌ）を基に、下記の数式１３によって求めることができる。
【数１３】
2016012826.tif 000015
【０１５９】
（ノード＃１−＃２間のＰＭＤ（＃２）の測定）
次に、ノード＃１−＃２間（スパン＃２：図２１参照）についてのノード＃２でのＰＭＤ（＃２）を測定するには、ノード＃０の測定光送信部３５から偏波スクランブルされた測定光をノード＃１へ伝送される光にアドする（図２２の処理Ｐ７４及びＰ７５）。
【０１６０】
ノード＃１は、図１４に例示するように、ノード＃０から受信した測定光をダウンストリームのノード＃２へスルーする（図２２の処理Ｐ７６）。
【０１６１】
ノード＃２は、図１４に例示するように、ノード＃１から受信した測定光をアップストリームへ折り返してノード＃１へ送信する（図２２の処理Ｐ７７）。
【０１６２】
ノード＃１は、図１４に例示するように、ノード＃２から受信した測定光をノード＃０へスルーする（図２２の処理Ｐ７８）。
【０１６３】
ノード＃０は、ノード＃２にて折り返されノード＃１をスルーしてきた測定光を測定光受信部３６にて受信する。測定光受信部３６の偏波アナライザ３６３は、受信した測定光の偏波状態を解析してスパン＃１及び＃２のトータルのＰＭＤ（ｔｏｔａｌ）を測定する（図２２の処理Ｐ７９）。
【０１６４】
ここで、スパン＃１及び＃２のダウンストリーム及びアップストリームのＰＭＤが同等であると仮定する。この場合、スパン＃２についてのノード＃２でのＰＭＤ（＃２）は、測定されたＰＭＤ（ｔｏｔａｌ）と、スパン＃１のＰＭＤ（＃１）と、を基に、下記の数式１４によって求めることができる（図２２の処理Ｐ８０）。
【数１４】
2016012826.tif 000016
【０１６５】
（ノード＃２−＃３間のＰＭＤ（＃３）の測定）
次に、ノード＃２−＃３間（スパン＃３：図２１参照）についてのノード＃３でのＰＭＤ（＃３）を測定するには、ノード＃０の測定光送信部３５から偏波スクランブルされた測定光をノード＃１へ伝送される光にアドする（図２２の処理Ｐ７４及びＰ７５）。
【０１６６】
ノード＃１は、図１５に例示するように、ノード＃０から受信した測定光をダウンストリームのノード＃２へスルーし、ノード＃２は、ノード＃１から受信した測定光をダウンストリームのノード＃３へスルーする（図２２の処理Ｐ７６）。
【０１６７】
ノード＃３は、図１５に例示するように、ノード＃２から受信した測定光をアップストリームへ折り返す（図２２の処理Ｐ７７）。
【０１６８】
ノード＃２は、ノード＃３から受信される測定光をノード＃１へスルーし、同様に、ノード＃１は、ノード＃２から受信した測定光をノード＃０へスルーする（図２２の処理Ｐ７８）。
【０１６９】
ノード＃０は、ノード＃３にて折り返されノード＃２及び＃１をそれぞれスルーしてきた測定光を測定光受信部３６にて受信する。測定光受信部３６の偏波アナライザ３６３は、受信した測定光の偏波状態を解析してスパン＃１〜＃３のトータルのＰＭＤ（ｔｏｔａｌ）を測定する（図２２の処理Ｐ７９）。
【０１７０】
ここで、スパン＃１〜＃３のダウンストリーム及びアップストリームのＰＭＤが同等であると仮定する。この場合、スパン＃３についてのノード＃３でのＰＭＤ（＃３）は、測定されたＰＭＤ（ｔｏｔａｌ）と、スパン＃１のＰＭＤ（＃１）及びスパン＃２のＰＭＤ（＃２）と、を基に、下記の数式１５によって求めることができる（図２２の処理Ｐ８０）。
【数１５】
2016012826.tif 000017
【０１７１】
（ＰＭＤ測定方法の一般化）
ノード＃（ｋ−１）とノード＃ｋとの間のスパン＃ｋについてのノード＃ｋでのＰＭＤ（＃ｋ）は、図２１及び図２２に例示するように、折り返しノード＃ｋをｋ＝１〜ｎの範囲で、順次、変更しながら測定を繰り返すことで測定可能である。
【０１７２】
例えば図１３に例示したようにノード＃０−＃１間（スパン＃１）のＰＤＬ（＃１）がまず測定される（図２２の処理Ｐ７１〜Ｐ７３）。その後、ｋの値を２〜ｎの範囲で順次変更することで、スパン＃ｋのＰＭＤ（＃ｋ）を繰り返し測定する（図２２の処理Ｐ７４〜Ｐ８１）。
【０１７３】
例えば、ノード＃０は、測定光送信部３５から偏波スクランブルされた測定光をノード＃１へ伝送される光にアドする（図２２の処理Ｐ７５）。
【０１７４】
ノード＃１〜＃（ｋ−１）は、ノード＃０から受信した測定光をダウンストリームのノード＃ｋへスルーする（図２２の処理Ｐ７６）。
【０１７５】
ノード＃ｋは、ノード＃（ｋ−１）から受信した測定光をアップストリームへ折り返す（図２２の処理Ｐ７７）。
【０１７６】
ノード＃（ｋ−１）〜＃１は、ノード＃ｋから受信した測定光をノード＃０へスルーする（図２２の処理Ｐ７８）。
【０１７７】
ノード＃０は、ノード＃２にて折り返されノード＃（ｋ−１）〜＃１をスルーしてきた測定光を測定光受信部３６にて受信する。測定光受信部３６の偏波アナライザ３６３は、受信した測定光の偏波状態を解析してスパン＃１〜＃ｋのトータルのＰＭＤ（ｔｏｔａｌ）を測定する（図２２の処理Ｐ７９）。
【０１７８】
ここで、スパン＃１〜＃ｋのダウンストリーム及びアップストリームのＰＭＤが同等であると仮定する。この場合、スパン＃ｋについてのノード＃ｋでのＰＭＤ（＃ｋ）は、測定されたＰＭＤ（ｔｏｔａｌ）と、スパン＃１〜＃ｋのＰＭＤ（＃１）〜ＰＭＤ（＃ｋ−１）と、を基に、下記の数式１６によって求めることができる（図２２の処理Ｐ８０）。
【数１６】
2016012826.tif 000018
【０１７９】
なお、スパン＃ｋのＰＭＤ（＃ｋ）は、ノード＃１〜＃ｎの中に構成が相違するノードが存在しても上記の数式１６によって求めてよい。例えば、ノード＃１〜＃ｎの中にＩＬＡを有するがＯＡＤＭ機能を有さないノードが存在したとしても、上記の数式１６によってスパン＃ｋのＰＭＤ（＃ｋ）を求めてよい。
【０１８０】
或るノード＃ｋから他のノード＃ｍ（ｍ＝１〜ｎのいずれかであり、ｍ＞ｋ）に至る経路のトータルのＰＭＤは、測定した各ノード＃ｋでのＰＭＤ（＃ｋ）に基づいて、以下の数式１７によって求めることができる。
【数１７】
2016012826.tif 000019
【０１８１】
例えば図１８に示すように、ノード＃１からノード＃２及びノード＃３を経由してノード＃４に至る経路のノード＃４でのＰＭＤは、以下の数式１８によって求めることができる。
【数１８】
2016012826.tif 000020
【０１８２】
（ＣＤの測定方法）
次に、波長分散（ＣＤ）の測定方法について説明する。
【０１８３】
（ノード＃０−＃１間のＣＤ（＃１）の測定）
ノード＃０−＃１間（スパン＃１：図２３参照）についてのノード＃１でのＣＤ（＃１）を測定するには、ノード＃０の測定光送信部３５において例えば強度変調器３５３によって測定光を強度変調する。強度変調された測定光は、ノード＃１へ伝送される光にアドされる（図２４の処理Ｐ９１）。
【０１８４】
ノード＃１は、図１３に例示するように、受信した測定光をアップストリームへ折り返してノード＃０へ送信する（図２４の処理Ｐ９２）。
【０１８５】
ノード＃０は、ノード＃１にて折り返されてくる測定光を測定光受信部３６にて受信する。測定光受信部３６の分散アナライザ３６４は、受信した測定光の位相の波長依存性を解析することにより、スパン＃１のトータルのＣＤ（ｔｏｔａｌ）を測定する（図２４の処理Ｐ９３）。
【０１８６】
ここで、スパン＃１のダウンストリーム及びアップストリームのＣＤが同等であると仮定すると、スパン＃１についてのノード＃１でのＣＤ（＃１）は、測定されたＣＤ（ｔｏｔａｌ）を基に、下記の数式１９によって求めることができる。
【数１９】
2016012826.tif 000021
【０１８７】
（ノード＃１−＃２間のＣＤ（＃２）の測定）
次に、ノード＃１−＃２間（スパン＃２：図２３参照）についてのノード＃２でのＣＤ（＃２）を測定するには、ノード＃０の測定光送信部３５から強度変調された測定光をノード＃１へ伝送される光にアドする（図２４の処理Ｐ９４及びＰ９５）。
【０１８８】
ノード＃１は、図１４に例示するように、ノード＃０から受信した測定光をダウンストリームのノード＃２へスルーする（図２４の処理Ｐ９６）。
【０１８９】
ノード＃２は、図１４に例示するように、ノード＃１から受信した測定光をアップストリームへ折り返してノード＃１へ送信する（図２４の処理Ｐ９７）。
【０１９０】
ノード＃１は、図１４に例示するように、ノード＃２から受信した測定光をノード＃０へスルーする（図２４の処理Ｐ９８）。
【０１９１】
ノード＃０は、ノード＃２にて折り返されノード＃１をスルーしてきた測定光を測定光受信部３６にて受信する。測定光受信部３６の分散アナライザ３６４は、受信した測定光の位相の波長依存性を解析してスパン＃１及び＃２のトータルのＯＭＤ（ｔｏｔａｌ）を測定する（図２４の処理Ｐ９９）。
【０１９２】
ここで、スパン＃１及び＃２のダウンストリーム及びアップストリームのＣＤが同等であると仮定する。この場合、スパン＃２についてのノード＃２でのＣＤ（＃２）は、測定されたＣＤ（ｔｏｔａｌ）と、スパン＃１のＣＤ（＃１）と、を基に、下記の数式２０によって求めることができる（図２４の処理Ｐ１００）。
【数２０】
2016012826.tif 000022
【０１９３】
（ノード＃２−＃３間のＣＤ（＃３）の測定）
次に、ノード＃２−＃３間（スパン＃３：図２３参照）についてのノード＃３でのＣＤ（＃３）を測定するには、ノード＃０の測定光送信部３５から強度変調された測定光をノード＃１へ伝送される光にアドする（図２４の処理Ｐ９４及びＰ９５）。
【０１９４】
ノード＃１は、図１５に例示するように、ノード＃０から受信した測定光をダウンストリームのノード＃２へスルーし、ノード＃２は、ノード＃１から受信した測定光をダウンストリームのノード＃３へスルーする（図２４の処理Ｐ９６）。
【０１９５】
ノード＃３は、図１５に例示するように、ノード＃２から受信した測定光をアップストリームへ折り返す（図２４の処理Ｐ９７）。
【０１９６】
ノード＃２は、ノード＃３から受信される測定光をノード＃１へスルーし、同様に、ノード＃１は、ノード＃２から受信した測定光をノード＃０へスルーする（図２４の処理Ｐ９８）。
【０１９７】
ノード＃０は、ノード＃３にて折り返されノード＃２及び＃１をそれぞれスルーしてきた測定光を測定光受信部３６にて受信する。測定光受信部３６の分散アナライザ３６４は、受信した測定光の偏波状態を解析してスパン＃１〜＃３のトータルのＣＤ（ｔｏｔａｌ）を測定する（図２４の処理Ｐ９９）。
【０１９８】
ここで、スパン＃１〜＃３のダウンストリーム及びアップストリームのＣＤが同等であると仮定する。この場合、スパン＃３についてのノード＃３でのＣＤ（＃３）は、測定されたＣＤ（ｔｏｔａｌ）と、スパン＃１のＣＤ（＃１）及びスパン＃２のＣＤ（＃２）と、を基に、下記の数式２１によって求めることができる（図２４の処理Ｐ１００）。
【数２１】
2016012826.tif 000023
【０１９９】
（ＣＤ測定方法の一般化）
ノード＃（ｋ−１）とノード＃ｋとの間のスパン＃ｋについてのノード＃ｋでのＣＤ（＃ｋ）は、図２３及び図２４に例示するように、折り返しノード＃ｋをｋ＝１〜ｎの範囲で、順次、変更しながら測定を繰り返すことで測定可能である。
【０２００】
例えば図１３に例示したようにノード＃０−＃１間（スパン＃１）のＣＤ（＃１）がまず測定される（図２４の処理Ｐ９１〜Ｐ９３）。その後、ｋの値を２〜ｎの範囲で順次変更することで、スパン＃ｋのＣＤ（＃ｋ）を繰り返し測定する（図２４の処理Ｐ９４〜Ｐ１０１）。
【０２０１】
例えば、ノード＃０は、測定光送信部３５から強度変調された測定光をノード＃１へ伝送される光にアドする（図２４の処理Ｐ９５）。
【０２０２】
ノード＃１〜＃（ｋ−１）は、ノード＃０から受信した測定光をダウンストリームのノード＃ｋへスルーする（図２４の処理Ｐ９６）。
【０２０３】
ノード＃ｋは、ノード＃（ｋ−１）から受信した測定光をアップストリームへ折り返す（図２４の処理Ｐ９７）。
【０２０４】
ノード＃（ｋ−１）〜＃１は、ノード＃ｋから受信した測定光をノード＃０へスルーする（図２４の処理Ｐ９８）。
【０２０５】
ノード＃０は、ノード＃２にて折り返されノード＃（ｋ−１）〜＃１をスルーしてきた測定光を測定光受信部３６にて受信する。測定光受信部３６の分散アナライザ３６４は、受信した測定光の偏波状態を解析してスパン＃１〜＃ｋのトータルのＣＤ（ｔｏｔａｌ）を測定する（図２４の処理Ｐ９９）。
【０２０６】
ここで、スパン＃１〜＃ｋのダウンストリーム及びアップストリームのＣＤが同等であると仮定する。この場合、スパン＃ｋについてのノード＃ｋでのＣＤ（＃ｋ）は、測定されたＣＤ（ｔｏｔａｌ）と、スパン＃１〜＃ｋのＣＤ（＃１）〜ＣＤ（＃ｋ−１）と、を基に、下記の数式２２によって求めることができる（図２４の処理Ｐ１００）。
【数２２】
2016012826.tif 000024
【０２０７】
なお、スパン＃ｋのＣＤ（＃ｋ）は、ノード＃１〜＃ｎの中に構成が相違するノードが存在しても上記の数式２２によって求めてよい。例えば、ノード＃１〜＃ｎの中にＩＬＡを有するがＯＡＤＭ機能を有さないノードが存在したとしても、上記の数式２２によってスパン＃ｋのＣＤ（＃ｋ）を求めてよい。
【０２０８】
或るノード＃ｋから他のノード＃ｍ（ｍ＝１〜ｎのいずれかであり、ｍ＞ｋ）に至る経路のトータルのＣＤは、測定した各ノード＃ｋでのＣＤ（＃ｋ）に基づいて、以下の数式２３によって求めることができる。
【数２３】
2016012826.tif 000025
【０２０９】
例えば図１８に示すように、ノード＃１からノード＃２及びノード＃３を経由してノード＃４に至る経路のノード＃４でのＣＤは、以下の数式２４によって求めることができる。
【数２４】
2016012826.tif 000026
【０２１０】
以上のように、上述した実施形態によれば、１つの測定機能を有するノード＃０を光ネットワーク１に設けるだけで、光ネットワーク１を成す各ノード＃ｉの特性や所望のスパンの特性を把握することができる。従って、ネットワークパラメータの設計値と実測値との差分を把握して、ネットワークパラメータの最適化を図ることができる。その結果、光ネットワーク１の伝送性能の向上を図ったり、リストの低減を図ったりすることができる。
【０２１１】
なお、上述した例では、折り返しノード＃ｋを測定ノード＃０に近い方から遠い方（ｋが増加する方向）へ、逐次的に変更する例について説明したが、逆に、折り返しノード＃ｋから遠い方から近い方（ｋが減少する方向）へ逐次的に変更するようにしてもよい。この場合も、上述した例と同様にして、任意のスパン＃ｋのネットワークパラメータの測定が可能である。また、折り返しノード＃ｋの変更は、逐次的でなくてもよく、任意のノード＃ｋに変更してよい。
【０２１２】
（ネットワークパラメータ測定の実施時期）
上述したネットワークパラメータの測定は、光ネットワーク１の初期立ち上げ時に実施してもよいし、光ネットワーク１の運用中に実施してもよい。
【０２１３】
（初期立上げ時）
光ネットワーク１の初期立ち上げ時には、光ネットワーク１で用いる波長帯域のすべてが空いているので、図２５に例示するように、測定光送信部３５のＴＬＤ３５１の波長（測定波長）を全帯域に亘ってスイープ制御する。当該スイープ制御に連動して測定光の折り返しやスルーに関わるＷＳＳ３３での選択波長を切り替える（スイープ制御する）。
【０２１４】
例えば図２６に示すように、測定ノード＃０ではＷＳＳ３３Ａ、ノード＃１ではＷＳＳ３３Ａ及び３３Ｂ、ノード＃ｎではＷＳＳ３３Ｂが、それぞれ選択波長のスイープ制御対象となる。スイープ制御は、既述のとおり制御部３９によって実施されてよい。
【０２１５】
これにより、光ネットワーク１の全帯域の波長について既述のネットワークパラメータの測定が可能となる。
【０２１６】
なお、ＷＳＳ３３には、リキッドクリスタルオンシリコン（ＬＣＯＳ）タイプのＷＳＳやＭＥＭＳタイプのＷＳＳを適用してよい。ＬＣＯＳタイプのＷＳＳ３３では、図２７に模式的に示すように、波長に依存しないで全帯域（例えば、Ｃバンド等）の光が透過するように制御することが可能である。
【０２１７】
この場合、ＴＬＤ３５１をスイープ制御すれば、光ネットワーク１の全体帯域についてネットワークパラメータの測定が可能になる。波長グリッドに依存しないで全帯域を測定できるので、フレックスグリッドであってもネットワークパラメータの測定が可能になる。また、ＷＳＳ３３の選択波長を切り替えなくてよいので、測定波長変更時の制御が簡易になり、また、測定時間の短縮化を図ることができる。更に、パスバンドの影響を受けないので、波長グリッド間についてのネットワークパラメータを精度良く測定することができる。
【０２１８】
（運用中）
光ネットワーク１の運用中では、図２８及び図２９に模式的に示すように、未使用の波長（空きチャネル）に、ＴＬＤ３５１の出力波長（測定波長）とＷＳＳ３３での選択波長と、を、順次、切り替えながら測定を行なえばよい。
【０２１９】
なお、ＷＳＳ３３での波長選択は、ＴＬＤ３５１の出力波長制御と連動して１チャネルずつ制御してもよいし、予め空いている複数チャネルを全て測定光に割り当てるようにしてもよい。例えば、ＬＣＯＳタイプのＷＳＳ３３であれば、図３０に模式的に示すように、ＷＳＳ３３での選択波長をチャネル単位で制御しなくても、ＴＬＤ３５１の出力波長を空きチャネルにスイープ制御すればよい。
【０２２０】
以上のようにして、光ネットワーク１の運用中においても、空きチャネルに測定光を割り当てることで、当該チャネルについてのネットワークパラメータの測定が可能になる。
【符号の説明】
【０２２１】
１  光伝送システム（光ネットワーク）
２  ＮＭＳ
４Ａ，４Ｂ  光伝送路
３１Ａ，３１Ｂ  光増幅器（プリアンプ又は受信アンプ）
３２Ａ，３２Ｂ  光スプリッタ（ＳＰＬ）
３３Ａ，３３Ｂ  波長選択スイッチ（ＷＳＳ）
３４Ａ，３４Ｂ  光増幅器（ポストアンプ又は送信アンプ）
３５  測定光送信部（光源部）
３５１  可変波長光源
３５２  偏波コントローラ
３５３  強度変調器
３６  測定光受信部（ＯＰＭ又は測定器）
３６１  ＯＳＮＲモニタ
３６２  光パワーメータ
３６３  偏波アナライザ
３６４  分散アナライザ
３７  折り返し接続（折り返しファイバ）
３８Ａ，３８Ｂ  ＯＳＣ光送受信機
３９Ａ，３９Ｂ  制御部
４０Ａ，４０Ｂ  光分岐器（分岐カプラ）
４１Ａ，４１Ｂ  光合波器（合波カプラ）
【図１】
2016012826.tif 000027
【図２】
2016012826.tif 000028
【図３】
2016012826.tif 000029
【図４】
2016012826.tif 000030
【図５】
2016012826.tif 000031
【図６】
2016012826.tif 000032
【図７】
2016012826.tif 000033
【図８】
2016012826.tif 000034
【図９】
2016012826.tif 000035
【図１０】
2016012826.tif 000036
【図１１】
2016012826.tif 000037
【図１２】
2016012826.tif 000038
【図１３】
2016012826.tif 000039
【図１４】
2016012826.tif 000040
【図１５】
2016012826.tif 000041
【図１６】
2016012826.tif 000042
【図１７】
2016012826.tif 000043
【図１８】
2016012826.tif 000044
【図１９】
2016012826.tif 000045
【図２０】
2016012826.tif 000046
【図２１】
2016012826.tif 000047
【図２２】
2016012826.tif 000048
【図２３】
2016012826.tif 000049
【図２４】
2016012826.tif 000050
【図２５】
2016012826.tif 000051
【図２６】
2016012826.tif 000052
【図２７】
2016012826.tif 000053
【図２８】
2016012826.tif 000054
【図２９】
2016012826.tif 000055
【図３０】
2016012826.tif 000056